(57)【要約】 【課題】差動信号出力回路が異なる中心電圧を有する差動信号を出力できるように、基準電圧供給回路から出力される基準電圧を変更できるようにする。【解決手段】差動信号出力回路のための基準電圧供給回路は、基準電圧を発生する基準電圧発生回路と、基準電圧発生回路によって発生された基準電圧に基づいて、複数の基準電圧を発生させる複数電圧発生回路と、複数電圧発生回路において発生された複数の基準電圧の中から１つの基準電圧を選択して出力する電圧選択回路とを有する。【選択図】  図３
2005063381.tif 000002
【特許請求の範囲】
【請求項１】
差動信号出力回路のための基準電圧供給回路であって、
基準電圧を発生する基準電圧発生回路と、
基準電圧発生回路によって発生された基準電圧に基づいて、複数の基準電圧を発生させる複数電圧発生回路と、
該複数電圧発生回路において発生された前記複数の基準電圧の中から１つの基準電圧を選択して出力する電圧選択回路とを有することを特徴とする基準電圧供給回路。
【請求項２】
前記複数電圧発生回路は、複数の抵抗を有する抵抗回路を有し、前記複数の基準電圧のそれぞれは、前記抵抗回路における前記複数の抵抗間の各接続点における分圧電圧によって発生させられることを特徴とする請求項１に記載の基準電圧供給回路。
【請求項３】
さらに、前記基準電圧発生回路によって発生された前記基準電圧を所定の範囲で調整する基準電圧調整回路を有し、
該基準電圧調整回路によって調整された前記基準電圧が、前記複数電圧発生回路に供給されることを特徴とする請求項１又は請求項２に記載の基準電圧供給回路。
【請求項４】
前記基準電圧調整回路は、前記抵抗回路の前記複数の抵抗間の各接続点における分圧電圧を差動増幅器のフィードバック電圧とすることによって、前記基準電圧発生回路によって発生された前記基準電圧の調整が行われることを特徴とする請求項３に記載の基準電圧供給回路。
【請求項５】
請求項１から請求項４のいずれかに記載の基準電圧供給回路を有することを特徴とする半導体装置。
【発明の詳細な説明】
【技術分野】
【０００１】
本発明は、基準電圧供給回路及び半導体装置に関し、特に、差動信号出力回路のための基準電圧供給回路及び半導体装置に関する。
【背景技術】
【０００２】
従来より、RSDS（Reduced Swing Differential Signaling）出力回路等による小振幅差動信号が各種電子機器において利用されている。そのRSDS出力回路は、小振幅差動信号を利用するため、各種電子機器の低消費電力、低EMI（Electro Magnetic Interference：電磁波障害）に貢献する。例えば、ノート型のパーソナルコンピュータ（以下、PCという）の本体からのLVDS（Low Voltage Differential Signals）等の小振幅差動信号を、液晶表示装置側の基板が受信し、液晶表示装置側の基板内においては、RSDS信号による信号伝送が行われる。
【０００３】
RSDS信号を出力するRSDS出力回路には、バイアス電圧発生回路から、基準電圧として、中心電圧と振幅を制御するための２つのバイアス電圧信号が入力される。RSDS出力回路は、入力された２つのバイアス信号に基づいて、入力される「０」と「１」のデジタル信号を、所定の中心電圧を基準とし、所定の電圧幅で振幅する小振幅の差動信号に変換して出力する（例えば、特許文献１参照）。
【０００４】
【特許文献１】特開2002-314397号公報（段落番号0026、第2図）
【発明の開示】
【発明が解決しようとする課題】
【０００５】
しかし、差動信号の規格によって中心電圧が異なるような場合があり、そのような場合には、その中心電圧に対応した基準電圧を出力しなければならないが、上述したバイアス電圧発生回路から出力される基準電圧は、内部のバンドギャップ回路の出力電圧をそのまま利用して出力されているため、予め決められた１つの中心電圧に対応する１つの基準電圧しか出力できなかった。そのため、差動信号の規格によって中心電圧が異なるような場合には、その差動信号出力回路は使用することができなかった。
【０００６】
そこで、本発明は、差動信号出力回路が異なる中心電圧を有する差動信号を出力できるように、基準電圧供給回路から出力される基準電圧を変更できるようにした基準電圧供給回路を提供することを目的とする。
【課題を解決するための手段】
【０００７】
本発明の基準電圧供給回路は、差動信号出力回路のための基準電圧供給回路であって、基準電圧を発生する基準電圧発生回路と、基準電圧発生回路によって発生された基準電圧に基づいて、複数の基準電圧を発生させる複数電圧発生回路と、該複数電圧発生回路において発生された前記複数の基準電圧の中から１つの基準電圧を選択して出力する電圧選択回路とを有する。
【０００８】
また、本発明の半導体装置は、このような基準電圧供給回路を有することが望ましい。
【０００９】
このような構成によれば、基準電圧供給回路は、差動信号出力回路が異なる中心電圧を有する差動信号を出力できるように、基準電圧供給回路から出力される基準電圧を変更することができる。
【００１０】
また、本発明の基準電圧供給回路において、前記複数電圧発生回路は、複数の抵抗を有する抵抗回路を有し、前記複数の基準電圧のそれぞれは、前記抵抗回路における前記複数の抵抗間の各接続点における分圧電圧によって発生させられることが望ましい。
【００１１】
このような構成によれば、簡単に複数の基準電圧を発生させることができる。
【００１２】
また、本発明の基準電圧供給回路において、さらに、前記基準電圧発生回路によって発生された前記基準電圧を所定の範囲で調整する基準電圧調整回路を有し、  該基準電圧調整回路によって調整された前記基準電圧が、前記複数電圧発生回路に供給されることが望ましい。
【００１３】
このような構成によれば、基準電圧発生回路が、製造プロセス等によって所望の基準電圧を出力しない場合にも、基準電圧供給回路は、適切な基準電圧を出力することができる。
【００１４】
また、本発明の基準電圧供給回路において、前記基準電圧調整回路は、前記抵抗回路の前記複数の抵抗間の各接続点における分圧電圧を差動増幅器のフィードバック電圧とすることによって、前記基準電圧発生回路によって発生された前記基準電圧の調整が行われることが望ましい。
【００１５】
このような構成によれば、簡単に複数の基準電圧を発生させることと、基準電圧発生回路によって発生された基準電圧の調整を、同じ抵抗回路を利用して行うことができる。
【発明を実施するための最良の形態】
【００１６】
以下、図面を参照して本発明の実施の形態を説明する。  
まず、図１に基づき、本実施の形態に係わる差動信号を出力する半導体装置の構成を説明する。図１は、本実施の形態に係わる差動信号出力用インターフェース回路の構成を示すブロック構成図である。  
図１に示すインターフェース回路１は、第１の差動信号として、LVDS（Low Voltage Differential Signals）の小振幅差動信号を入力し、第２の差動信号としてのRSDS（Reduced Swing Differential Signaling）の小振幅差動信号に変換して出力するインターフェース回路である。このインターフェース回路１は、１つの半導体チップに形成されている。また、インターフェース回路１は、複数のLVDS信号を入力し、複数のRSDS信号を出力する。インターフェース回路１は、LVDS受信回路である入力回路２、タイミング制御回路３及び出力回路４からなる単位インターフェース回路を、入力信号と出力信号の数に応じた数だけ有する。各出力回路４は、差動信号出力回路であるRSDS出力回路を含む。さらに、インターフェース回路１には、基準電圧供給回路であるバイアス電圧発生回路５が設けられており、バイアス電圧発生回路５は、複数のバイアス電圧信号を、所定の各種基準電圧として各出力回路４へ供給している。
【００１７】
このインターフェース回路１は、例えば、ノートPCのLCD装置のパネル基板内に設けられ、PC本体部から出力されるLVDS信号を受信して、パネル基板内においては、RSDS信号によって信号の伝送を行うための回路であり、半導体基板上に形成される。すなわち、このインターフェース回路１は、ノートPCのような電子機器内の基板に搭載されて用いられる半導体装置である。
【００１８】
LVDS受信回路である各入力回路２は、小振幅差動信号IN+，IN-を受信して、デジタル信号である、「０」と「１」の信号を、タイミング制御回路３へ出力する。タイミング制御回路３は、受信したデジタル信号のタイミングを調整してデジタル信号DDを、出力回路４へ出力する。RSDS出力回路を含む出力回路４は、タイミング制御回路３からデジタル信号DDを受信して、小振幅差動信号OUT+，OUT-を出力する。
【００１９】
各入力回路２が、例えば、0Vから3.3Vの電圧の範囲で振幅する、フルスイングの小振幅差動信号IN+，IN-を受信するのに対し、各出力回路４は、例えば、1.1Vから1.5Vの電圧の範囲で振幅する小振幅差動信号OUT+，OUT-を出力する。出力回路４が所定の中心電圧、例えば1.3Vを基準として所定の振幅、プラス・マイナス0.2Vを有する小振幅差動信号OUT+，OUT-を出力するように、バイアス電圧発生回路５は、中心電圧のレベルを示す基準電圧レベル信号CVと、振幅制御信号PBとを発生し、各出力回路４へ供給する。
【００２０】
基準電圧レベル信号CVは、バイアス電圧発生回路５において生成される、予め決められた電圧値である。振幅制御信号PBは、バイアス電圧発生回路５において生成される、RSDS出力回路から出力される差動信号の振幅を制御するための電圧値である。従って、バイアス電圧発生回路５は、振幅制御信号発生回路ということができる。  
図２は、出力回路４の構成例を示す回路図であり、図２に示すように、出力回路４は、RSDS出力回路６と、中心電圧レベル制御信号発生回路７とを含む。中心電圧レベル制御信号発生回路７は、直列に接続されたPチャンネルトランジスタ２１と２２、直列に接続された抵抗２３と２４、及び直列に接続されたNチャンネルトランジスタ２５、２６と２７が、直列に接続された直列回路を含む。Nチャンネルトランジスタ２６と２７の接続点には抵抗２８が接続されている。中心電圧レベル制御信号発生回路７は、差動増幅器２９を含み、差動増幅器２９の一方の入力端は抵抗２３と２４の接続点Bに接続され、他方の入力端には、基準電圧レベル信号CVが入力される。
【００２１】
RSDS出力回路６は、Pチャンネルトランジスタ３１と、４つのトランジスタ３２、３３、３４、３５を含むトランジスタ並列回路と、Nチャンネルトランジスタ３６と、Nチャンネルトランジスタ３７とが直列に接続された直列回路を含む。トランジスタ並列回路は、直列に接続されたPチャンネルトランジスタ３２とNチャンネル３３トランジスタの直列回路と、直列に接続されたPチャンネルトランジスタ３４とNチャンネルトランジスタ３５の直列回路とが、並列に接続されている。Nチャンネルトランジスタ３６と３７の接続点には抵抗３８が接続されている。直列に接続された２つの反転回路３９の一端がPチャンネルトランジスタ３２とNチャンネルトランジスタ３３のゲートに接続されている。直列に接続された３つの反転回路４０の一端がPチャンネルトランジスタ３４とNチャンネルトランジスタ３５のゲートに接続されている。反転回路３９と４０の他端は、タイミング制御回路３からのデジタル信号DDが供給される。
【００２２】
Pチャンネルトランジスタ３２のソースとNチャンネルトランジスタ３３のドレインの間の接続点C1と、Pチャンネルトランジスタ３４のソースとNチャンネルトランジスタ３５のドレインの間の接続点C2が、それぞれ正転及び反転の差動信号OUT+，OUT-となる。  
ここで、中心電圧レベル制御信号発生回路７における、Pチャンネルトランジスタ２１、２２、抵抗２３、２４、Nチャンネルトランジスタ２５、２６、２７及び抵抗２８を含む回路は、RSDS出力回路６における、Pチャンネルトランジスタ３１、Pチャンネルトランジスタ３２、Nチャンネルトランジスタ３３、Pチャンネルトランジスタ３４、Nチャンネルトランジスタ３５、Nチャンネルトランジスタ３６、Nチャンネルトランジスタ３７及び抵抗３８を含む出力回路の複製回路、言い換えるとレプリカ回路である。  
すなわち、タイミング制御回路３からのデジタル信号DDが反転回路３９、４０に入力されると、RSDS出力回路６において、Pチャンネルトランジスタ３２とNチャンネルトランジスタ３５がオンでNチャンネルトランジスタ３３とPチャンネルトランジスタ３４がオフとなるか、あるいは、Pチャンネルトランジスタ３２とNチャンネルトランジスタ３５がオフでNチャンネルトランジスタ３３とPチャンネルトランジスタ３４がオンとなる。その結果、電流が、Pチャンネルトランジスタ３２、Nチャンネルトランジスタ３５と終端抵抗を流れるか、あるいは、Pチャンネルトランジスタ３４、Nチャンネルトランジスタ３３と終端抵抗を流れることによって差動信号の出力回路が形成される。  
このように形成される差動信号の出力回路と同等の回路、すなわちRSDS出力回路６の複製である回路を、中心電圧レベル制御信号発生回路７は含むことになる。このような複製回路を中心電圧レベル制御信号発生回路７に設けることによって、RSDS出力回路６における差動信号の出力特性を確実に一致させることができる。
【００２３】
次に動作を説明する。  
バイアス電圧発生回路５は、例えば1.3Vの基準電圧レベル信号CVと、振幅制御信号PBを出力する。  
中心電圧レベル制御信号発生回路７の差動増幅器２９は、接続点Bの電圧と、入力端の一方に入力された基準電圧レベル信号CVとを一致させるように、出力信号、すなわち中心電圧レベル制御信号NBを出力する。これは、中心電圧レベル制御信号NBがNチャンネルトランジスタ２７のゲートに供給され、Nチャンネルトランジスタ２７のソースとドレイン間に流れる電流が変化することによって、接続点Bの電圧が、基準電圧レベル信号CVと一致するようになるからである。
【００２４】
この中心電圧レベル制御信号NBは、RSDS出力回路６のNチャンネルトランジスタ３７のゲートに供給され、Nチャンネルトランジスタ３６のゲートに入力されるタイミング信号ENのタイミングにおいてRSDS出力回路６に流れる電流も、接続点C1とC2の間の終点抵抗の両端に発生する電圧が、中心電圧レベル制御信号発生回路７に含まれる、出力回路４の複製回路の抵抗２３と２４の直列回路の両端に発生する電圧と同じになるように制御される。
【００２５】
このとき、RSDS出力回路６と中心電圧レベル制御信号発生回路７は、半導体チップの半導体基板上において、距離的に近い位置に形成される。言い換えれば、半導体チップの半導体基板上において、RSDS出力回路６の形成領域と中心電圧レベル制御信号発生回路７の形成領域は、それぞれの回路に含まれるトランジスタの動作特性が同等になるような、近い距離に形成される。よって、RSDS出力回路６からの出力される差動信号の中心電圧レベルは、所望のレベルにすることができるので、差動信号を受信する受信側の回路において確実に受信することができる。
【００２６】
次に、バイアス電圧発生回路５について説明する。図３は、バイアス電圧発生回路５の回路構成例を示す図である。  
１０１は、バイアス回路であり、熱電圧を基準とした基準電圧回路であり、生成した電圧を、バイアス電圧発生回路５内の各差動増幅器の動作電圧及び各RSDS出力回路６の動作電圧BBとして供給する。
【００２７】
１０２は、基準電圧発生回路であるバンドギャップ回路であり、シリコンのバンドギャップを利用して温度特性、電源電圧依存を極力排除して基準電圧を出力する回路である。  
基準電圧発生回路であるバンドギャップ回路１０２の出力NB1は、差動増幅器１０３の一方の入力端に入力される。差動増幅器１０３の他方の入力端はセレクタ１０４に入力される。
【００２８】
セレクタ１０４は、複数の抵抗が直列に接続された直列抵抗回路１０５の複数の接続点中の１つの接続点の電圧を、差動増幅器１０３の一方の入力端に供給するために、複数の接続点中の１つの接続点を選択するための回路である。セレクタ１０４は、１つの入力と、複数の接続点に応じた数の出力数を有し、抵抗直列回路１０５の抵抗分割を行う。１０６は、Pチャンネルトランジスタであり、通常は、オンしており、ソース側は所定の電圧が与えられ、ドレイン側は直列抵抗回路１０５の一端に接続されている。なお、直列抵抗回路１０５の他端はグラウンドに接続されている。
【００２９】
従って、セレクタ１０４で選択された接続点とPチャンネルトランジスタ１０６の間にある抵抗を含んで形成されるフィードバックループによって、差動増幅器１０３は、２つの入力端の電圧が等しくなるように、出力を制御する。  
バンドギャップ回路１０２が生成し出力する基準電圧は、製造プロセス等によって、わずかに変動し、所望の電圧値を出力しないときがある。セレクタ１０４は、その変動して所望の電圧値が出力されないときに、出力電圧値を微調整するための回路である。従って、バンドギャップ回路１０２が、製造プロセスによっては、所望の電圧出力をしない場合にも、出力回路４が適切な差動信号を出力するように、バンドギャップ回路１０２からの基準電圧を、所定の範囲で調整し、バイアス電圧発生回路５が、適切なバイアス電圧を出力することができる。
【００３０】
差動増幅器１０３、セレクタ１０４及び直列抵抗回路１０５は、基準電圧を所定の範囲で調整する基準電圧調整回路を構成し、その基準電圧調整回路は、直列抵抗回路１０５の複数の抵抗間の各接続点における分圧電圧を差動増幅器１０３のフィードバック電圧とすることによって、バンドギャップ回路１０２によって発生された基準電圧の微調整を行う。
【００３１】
１０７は、セレクタであり、複数の抵抗が直列に接続された直列抵抗回路１０５の複数の接続点中から選択した接続点の電圧を出力するために、複数の接続点中の１つの接続点を選択するための回路である。直列抵抗回路１０５は、複数の基準電圧を発生する複数基準電圧発生回路であり、複数の抵抗が直列に接続された抵抗回路を用いることによって、簡単に複数の基準電圧を発生させることができる。セレクタ１０７は、選択された接続点における、抵抗直列回路１０５の抵抗分割によって生じた分圧電圧を差動増幅器１０８の一方の入力端へ出力する。セレクタ１０７は、複数の基準電圧の中から１つの基準電圧を選択して出力する電圧選択回路である。
【００３２】
セレクタ１０７は、差動信号の中心電圧を、例えば、1.1Vから1.5Vの範囲において、0.1Vのステップで変更することによって、中心電圧を選択し変更するための回路である。これは、RSDS信号を受信する回路によっては、中心電圧が異なるような場合があり、そのような場合に、受信側回路に応じて、RSDS出力回路４から出力される基準電圧レベル信号CVを変更するためである。図３において、直列抵抗回路１０５の接続点C11の電圧CV1が1.5Vに、接続点C12の電圧CV2が1.4Vに、接続点C13の電圧CV3が1.3Vに、接続点C17の電圧CV4が1.4Vに、接続点C18の電圧CV5が1.5Vに対応する。よって、中心電圧を、1.2Vにしたり、1.4Vにしたり等、0.1Vのステップで変更することができる。  
差動増幅器１０８の出力は、基準電圧レベル信号CVとして、上述した中心電圧レベル制御信号発生回路７の差動増幅器２９へ供給される。
【００３３】
ここで、セレクタ１０４、直列抵抗回路１０５及びセレクタ１０７について、より詳細に説明する。図４は、セレクタ１０４、直列抵抗回路１０５及びセレクタ１０７をより詳細に説明するための回路図である。  
差動増幅器１０３の一方の入力端は、セレクタ１０４の入力に、すなわち複数の（ここでは５つの）スイッチSW11からSW15のそれぞれの一端に接続されている。SW11からSW15のいずれを選択するかは、設定ピン等によって選択される。直列抵抗回路１０５は、複数の抵抗、ここでは８つの抵抗が直列に接続されており、SW11からSW15のそれぞれの他端が、所定の抵抗間の接続点に接続されている。
【００３４】
また、直列抵抗回路１０５の所定の抵抗間の接続点は、セレクタ１０７の、複数（ここでは５つ）のスイッチSW21からSW25のそれぞれの一端に接続されている。SW21からSW25のいずれを選択するかは、設定ピン等によって選択される。セレクタ１０７のスイッチSW21からSW25のそれぞれの他端は、セレクタ１０７の出力として差動増幅器１０８の入力端の一方に接続されている。
【００３５】
直列抵抗回路１０５は、８つの抵抗のうち、Pチャンネルトランジスタ１０６と抵抗R1の接続点C11にSW21が接続され、抵抗R1とR2の接続点C12にSW22が接続され、抵抗R2とR3の接続点C13にSW23が接続され、抵抗R2とR3の接続点C13にスイッチSW11の一方が接続されている。抵抗R3とR4の接続点C14にスイッチSW12の一方が接続されている。抵抗R4とR5の接続点C15にスイッチSW13の一方が接続され、抵抗R5とR6の接続点C16にスイッチSW14の一方が接続されている。抵抗R6とR7の接続点C17にスイッチSW15の一方が接続され、抵抗R6とR7の接続点C17はSW24に接続されている。抵抗R7とR8の接続点C18にSW25が接続されている。
【００３６】
ここで、抵抗R1、R2、R7とR8のそれぞれの抵抗値は、等しく、抵抗R3、R4、R5とR6のそれぞれの抵抗値は、等しいが、前者の抵抗（R1、R2、R7とR8）の抵抗値と、後者の抵抗（R3、R4、R5とR6）の抵抗値は異なっている。後者の抵抗（R3、R4、R5とR6）は、バンドギャップ回路１０２から出力される電圧値が、製造プロセスによって変動する範囲を調整するための抵抗であるの対して、前者の抵抗（R1、R2、R7とR8）の抵抗値は、受信側回路の規格に応じて中心電圧を変更するため抵抗であるので、前者の抵抗（R1、R2、R7とR8）の抵抗値は、後者の抵抗（R3、R4、R5とR6）よりも大きい。
【００３７】
例えば、RSDS信号の中心電圧を、1.1Vから1.5Vの範囲で、0.1V刻みで選択できるようにする場合、接続点C11が1.5Vに、接続点C12が1.4Vに、接続点C13が1.3Vに、接続点C17が1.2Vに、接続点C18が1.1Vになるように、各抵抗の抵抗値が選択される。同様に、バンドギャップ回路１０２から出力される電圧値を、例えば、25mV刻みで調整できるように、各抵抗の抵抗値が選択される。
【００３８】
このように、直列抵抗回路１０５の複数の抵抗間の各接続点における分圧電圧を差動増幅器１０３のフィードバック電圧とすることによって、バンドギャップ回路１０２によって発生された基準電圧の調整が行われるようにしたので、簡単に複数の基準電圧を発生させることと、バンドギャップ回路１０２によって発生された基準電圧の調整とを、同じ抵抗回路を利用して行うことができる。
【００３９】
次に、図３に戻り、振幅制御信号PBを生成する回路について説明する。  
直列抵抗回路１０５の一つの接続点、ここでは接続点C13は、差動増幅器１０９の一方の入力端に接続されている。差動増幅器１０９の出力は、Pチャンネルトランジスタ１１０のゲートに接続されている。Pチャンネルトランジスタ１１０のドレインはPチャンネルトランジスタ１１３及び抵抗１１１、１１４を介して、外付の設定抵抗を接続するための端子REXTに接続されている。外付の設定抵抗は、RSDS信号の受信側回路の規格に応じて端子REXTに接続される。Pチャンネルトランジスタ１１０、１１３と、抵抗１１１、１１４及び外付けの設定抵抗を含む回路は、中心電圧レベル制御信号発生回路７における、トランジスタ２１、２２、抵抗２３、２４、Nチャンネルトランジスタ２５、２６、２７及び抵抗２８を含む回路の複製回路、言い換えるとレプリカ回路である。差動増幅器１０９の他方の入力端はスイッチSW31の一つに接続されている。スイッチSW31は、差動増幅器１０９の他方の入力端を、抵抗１１４の両端のいずれかと接続するように切り替えるためのスイッチである。
【００４０】
Pチャンネルトランジスタ１１０のゲートは、差動増幅器１１２の一方の入力端に接続され、差動増幅器１１２の他方の入力端は、差動増幅器１１２の出力に接続されている。  
外付けの設定抵抗が端子REXTに接続されたときに、抵抗１１１に流れる電流を基準として、RSDS回路６から出力される差動信号の振幅制御信号PBが決定される。
【００４１】
スイッチSW３１は、RSDS出力回路６が出力する受信側回路の終端抵抗が予め決められた抵抗値と異なる抵抗値を有する受信側回路が接続されたときに、切り換えるための回路である。
【００４２】
例えば、RSDS出力回路６が出力する受信側回路の終端抵抗が、ある抵抗値を有するとき、その終端抵抗の抵抗値に応じて、端子REXTに、ある外付抵抗が接続される。その場合に、スイッチSW31は、端子REXTと抵抗１１４の接続点C22側を選択する。スイッチSW31が接続点C22側を選択し、接続点C22の電位が差動増幅器１０９の一方の入力端に与えられているときに、予め決められた一定の電流値、例えば、１００μAの電流が抵抗１１１に流れるようになり、その結果、振幅制御信号PBは所定の出力となる。
【００４３】
また、RSDS出力回路６の差動信号を受信する受信側回路の終端抵抗が、例えば上述した場合より小さい抵抗値を有する場合は、スイッチSW31は、抵抗１１１と１１４の接続点C21側を選択する。スイッチSW31が、接続点C21側を選択しているとき、接続点C21の電位が差動増幅器１０９の一方の入力端に与えられ、その結果、抵抗１１１には予め決められた一定の電流値、例えば、１００μAの電流が流れるようになる。よって、振幅制御信号PBは所定の出力となる。
【００４４】
従って、RSDS出力回路６の差動信号を受信する受信側回路が、当初想定していた終端抵抗とは異なる終端抵抗を有する場合、その異なる終端抵抗を有する受信側回路に対しても適切な差動信号を出力するようなバイアス電圧を、バイアス電圧発生回路５が、RSDS出力回路６へ供給することになる。すなわち、差動信号を受信する受信側回路に応じて、スイッチSW31を切り替えることによって、バイアス電圧発生回路５は、出力回路４へ適切なバイアス電圧を供給することができる。
【００４５】
また、スイッチSW31が接続点C21側を選択しているとき、端子REXTに電流検査用のテスタの端子を接続することによって、バイアス電圧発生回路５のチェック、具体的には差動信号の振幅を制御するための所定の電流が流れているか否かをチェックをすることができる。
【００４６】
なお、上述した例では、外付抵抗は、受信側回路の仕様が２つの場合で説明したが、さらに、受信側回路の仕様が３つ以上でもよく、その場合、受信側回路の仕様に応じて、内部抵抗を切り替えるように構成してもよい。
【００４７】
以上のように、本実施の形態の基準電圧供給回路であるバイアス電圧発生回路によれば、受信側回路の仕様に応じて、差動信号の出力回路が異なる中心電圧を有する差動信号を出力できるように、基準電圧供給回路から出力される基準電圧を変更することができる。
【００４８】
本発明は、上述した実施の形態に限定されるものではなく、本発明の要旨を変えない範囲において、種々の変更、改変等が可能である。
【図面の簡単な説明】
【００４９】
【図１】本発明の実施の形態に係わるインターフェース回路のブロック構成図。
【図２】本発明の実施の形態に係わる出力回路の回路図。
【図３】本発明の実施の形態に係わるバイアス電圧発生回路の回路図。
【図４】図３のセレクタ等をより詳細に説明するための回路図。
【符号の説明】
【００５０】
１  差動信号出力用インターフェース回路、２  入力回路、３  タイミング制御回路、４  出力回路、５  バイアス電圧発生回路、６  RSDS出力回路、７  中心電圧レベル制御信号発生回路、１０１  基準電圧回路、１０２  バンドギャップ回路、１０４，１０７  セレクタ
【図１】
2005063381.tif 000003
【図２】
2005063381.tif 000004
【図３】
2005063381.tif 000005
【図４】
2005063381.tif 000006